(57)【要約】【課題】複数のカメラによる多数の画像データを、当該カメラでまとめて且つ鑑賞効果を考慮して整理するカメラを提供すること。【解決手段】撮像素子１０ａが取得した上記第一の画像データと上記時計手段２０が出力した上記日時情報とを対応付けするＭＰＵ２と、上記制御手段によって上記日時情報と対応付けられた上記第一の画像データを記録する第二メモリ１４と、他のカメラと無線による通信を行う為の無線通信部１５ｂと、上記第一の画像データ及び上記無線通信部１５ｂが受信して取得した画像データである第二の画像データを表示する表示手段１８と、を具備し、上記ＭＰＵ２は、上記第一の画像データと上記第二の画像データとを、所定の順序で並べて配置して、上記表示手段１８に表示させる。【選択図】      図１
2007295289.tif 000002
【特許請求の範囲】
【請求項１】
被写体を撮像して第一の画像データを取得する撮像手段と、
上記第一の画像データが取得された日時情報を出力する時計手段と、
上記撮像手段が取得した上記第一の画像データと上記時計手段が出力した上記日時情報とを対応付けて記録する記録手段と、
他のカメラから少なくとも日時情報と対応付けられた第二の画像データを通信にて取得する通信手段と、
上記撮像手段が取得した上記第一の画像データと上記通信手段が取得した上記第二の画像データとを表示する表示手段と、
上記表示手段における表示の際に、上記第一の画像データと上記第二の画像データとを、所定の順序で並べて配置する制御手段と、
を具備することを特徴とするカメラ。
【請求項２】
上記所定の順序は、上記第一の画像データと上記第２の画像データにそれぞれ対応付けられた日時情報に基づく時系列順であることを特徴とする請求項１に記載のカメラ。
【請求項３】
被写体を撮像して第一の画像データを取得する撮像手段と、
上記第一の画像データが取得された日時情報を出力する時計手段と、
上記撮像手段で取得した上記第一の画像データと上記時計手段で出力した上記日時情報とを対応付けて記録する記録手段と、
他のカメラより第二の画像データを取得する通信手段と、
上記第一の画像データ及び上記通信手段により取得した第二の画像データを表示する表示手段と、
上記他のカメラにより当該カメラのユーザーを撮像して取得した第一のカメラユーザー画像データと上記第一の画像データとを並べて配置し、且つ当該カメラにより上記他のカメラのユーザーを撮像して取得した第二のカメラユーザー画像データと上記第二の画像データとを並べて配置して、上記表示手段に表示させる制御手段と、
を具備することを特徴とするカメラ。
【請求項４】
レリーズ操作を実行するためのレリーズ手段を更に具備し、
上記他のカメラから、上記第一のカメラユーザー画像データを上記通信手段で受信し、かつ上記レリーズ手段を介してレリーズ操作がなされたときに、上記受信した第一のカメラユーザー画像データを上記記録手段に記録することを特徴とする請求項３に記載のカメラ。
【請求項５】
上記表示手段の表示形式を、上記第一の画像データと上記第二の画像データとによる各画像データを混合せずに並べて上記表示手段に表示させる表示形式と、上記第一の画像データと上記第二の画像データとを上記時計手段の出力した上記日時情報に基づいて並べ替えて上記表示手段に表示させる表示形式との何れかに切り換える切り換え手段を更に具備することを特徴とする請求項１に記載のカメラ。
【請求項６】
当該カメラの動作モードを、上記通信手段を用いて上記他のカメラと互いに画像データを交換するための画像交換モードに設定する交換モード設定手段を更に具備し、
上記画像交換モードに設定された時に、上記通信手段は、上記第一の画像データと上記他のカメラに上記第二の画像データを送信させるための画像データ送信依頼信号とを送信すると共に、上記他のカメラから送信された上記第二の画像データを受信することを特徴とする請求項５に記載のカメラ。
【請求項７】
上記通信手段にて受信した上記第二の画像データを上記表示手段に表示した後、該受信した第二の画像データの中で選択された画像データを削除するための操作手段を更に具備することを特徴とする請求項６に記載のカメラ。
【請求項８】
上記他のカメラからの上記第二の画像データと共に当該送信に係る送信時刻情報を受信し、
上記制御手段は、上記送信時刻情報と、上記第二の画像データ受信時に上記時計手段が出力した日時情報とを比較し、該比較の結果に基づいて上記第二の画像データに対応付けられた日時情報の補正を更に行うことを特徴とする請求項１に記載のカメラ。
【請求項９】
上記通信手段は、無線によって通信を行うことを特徴とする請求項１に記載のカメラ。
【発明の詳細な説明】
【技術分野】
【０００１】
本発明は、カメラに関し、特に複数のカメラによる画像データの表示制御をするカメラに関する。
【背景技術】
【０００２】
従来より、カメラで撮影して取得した膨大な量の写真の整理は、カメラユーザーにとって重要なテーマとなっている。例えばフィルムカメラにおいては、撮影後のフィルムを実際に現像して写真を取得し、それら写真を自分で並べ替える等してアルバムを作成する。一方、近年幅広く普及しているデジタルカメラでは、デジタルデータである画像データを撮影により取得する為、フィルムカメラに比べて、より多様なアルバム作成方法が考えられる。
【０００３】
なお、撮影により取得した画像データを整理する技術として、例えば特許文献１に以下のような技術が開示されている。すなわち、上記特許文献１に開示された技術は、時計情報またはカレンダ情報と、画像データとを連動させて表示手段に表示させる技術である。上記特許文献１に開示された技術によれば、同一期間内に多数の画像データがある場合であっても、これら画像データを一覧することができ、画像データの検索性を向上させることができる。
【特許文献１】特開２００５−１３０２７５号公報
【発明の開示】
【発明が解決しようとする課題】
【０００４】
ところで、電子機器間における通信技術は現在目覚しく発達しており、今後も更に発達すると見込まれている。すなわち、カメラ等の撮像手段同士が通信により画像データをやり取りする場面が今後多くなると考えられる。
【０００５】
このような事実を鑑みると、より多数の画像データを一覧表示でき、かつその検索性等の向上を図る場合には、一つの撮像手段のみにより撮影された画像データを想定するのではなく、複数のカメラにより撮影された画像データを、統合して整理する技術が望まれると考えられる。なお、上記特許文献１に開示された技術では、この点は全く考慮されていない。
【０００６】
本発明は、上記の事情に鑑みてなされたもので、複数のカメラによる多数の画像データを、一台のカメラでまとめて且つ鑑賞効果を考慮して整理するカメラを提供することを目的とする。
【課題を解決するための手段】
【０００７】
上記の目的を達成するために、本発明の第１の態様によるカメラは、被写体を撮像して第一の画像データを取得する撮像手段と、上記第一の画像データが取得された日時情報を出力する時計手段と、上記撮像手段が取得した上記第一の画像データと上記時計手段が出力した上記日時情報とを対応付けて記録する記録手段と、他のカメラから少なくとも日時情報と対応付けられた第二の画像データを通信にて取得する通信手段と、上記撮像手段が取得した上記第一の画像データと上記通信手段が取得した上記第二の画像データとを表示する表示手段と、上記表示手段における表示の際に、上記第一の画像データと上記第二の画像データとを、所定の順序で並べて配置する制御手段と、を具備することを特徴とする。
【０００８】
上記の目的を達成するために、本発明の第２の態様によるカメラは、被写体を撮像して第一の画像データを取得する撮像手段と、上記第一の画像データが取得された日時情報を出力する時計手段と、上記撮像手段で取得した上記第一の画像データと上記時計手段で出力した上記日時情報とを対応付けて記録する記録手段と、他のカメラより第二の画像データを取得する通信手段と、上記第一の画像データ及び上記通信手段により取得した第二の画像データを表示する表示手段と、上記他のカメラにより当該カメラのユーザーを撮像して取得した第一のカメラユーザー画像データと上記第一の画像データとを並べて配置し、且つ当該カメラにより上記他のカメラのユーザーを撮像して取得した第二のカメラユーザー画像データと上記第二の画像データとを並べて配置して、上記表示手段に表示させる制御手段と、を具備することを特徴とする。
【発明の効果】
【０００９】
本発明によれば、複数のカメラにより撮影して取得された多数の画像データを、一台のカメラにてまとめて且つ鑑賞効果を考慮して整理した表示制御を行うカメラを提供することができる。
【発明を実施するための最良の形態】
【００１０】
以下、図面を参照して、本発明の一実施形態に係るカメラを説明する。図１は本実施形態に係るカメラのシステム構成の概念を示すブロック図である。
【００１１】
まず、参照符号２が付されているのは、マイクロコントローラ等から成る制御手段であるＭＰＵ（Ｍｉｃｒｏ  Ｐｒｏｃｅｓｓｉｎｇ  Ｕｎｉｔ）である。また、上記ＭＰＵ２には、操作部材２ａが接続されて設けられている。なお、該操作部材２ａは、例えばタッチパネル式や十字キー等の操作部材が考えられる。より具体的には、レリーズ操作を行うためのレリーズボタン、当該カメラの動作モードを撮影モード、第一再生モード、第二再生モード、及び画像交換モードの間で変更するための操作部材、各種モードにおいて画像の選択操作や決定操作等を行うための操作部材等が考えられる。
【００１２】
そして、上記ＭＰＵ２は、上記操作部材２ａの状態を検出することで、該検出の結果に基づき、後述するフローチャートに示す動作制御プログラム（フラッシュＲＯＭ４に格納されている）に従って、各構成部材を制御する。
【００１３】
ところで、撮影時には、撮影レンズ６を介して当該カメラに入射した被写体８の像は、例えばＣＣＤやＣＭＯＳセンサ等からなる撮像素子１０ａにより電気信号に変換される。そして、この電気信号は、ＡＦＥ（Ａｎａｌｏｇｕｅ  Ｆｒｏｎｔ  Ｅｎｄ）回路１０に読み出され、Ａ／Ｄ変換等が施されてデジタル画像信号である画像データとなり、信号処理回路１２に入力される。その後、上記画像データは、上記信号処理回路１２において、色補正及び信号圧縮処理等の所定の処理が施された後、メモリ１４に記録される。なお、上記信号処理回路１２内には、画像処理時における補正のかけ方の変更等や特定の信号の付加等を行う為の処理補助ブロック１２ａが設けられている。
【００１４】
なお、上記のように撮影して取得した画像データは、プリント信号出力手段１５ａや、無線通信部１５ｂにて、当該カメラ外部へ送信することができる。なお、無線通信部１５ｂは、本実施形態に係るカメラと同様又は類似のシステム構成（上記無線通信部１５ｂを含むシステム構成）を有するカメラ等との無線通信を可能にする通信手段を有する部材である。したがって、例えば上記無線通信部１５ｂにより画像データ等の送受信が可能となる。なお、実際の通信においては、例えばワイヤレスＬＡＮ等で定められた規格に基づいて行う。
【００１５】
なお、本実施形態に係るカメラでは、マイク１０ｂが更に設けられており、このマイク１０ｂにより取得された音声信号である音声データも、上記画像データと同様に上記信号処理回路１２にて信号圧縮処理等が行われ、メモリ１４に記録される。なお、このメモリ１４は、送信用メモリ１４ｂ（詳細は後述）を含む。
【００１６】
なお、上記画像データ及び上記音声データの処理時または記録時等においては、種々の演算を行うために、ＲＡＭ（Ｒａｎｄｏｍ  Ａｃｃｅｓｓ  Ｍｅｍｏｒｙ）１６に適宜データが格納される。
【００１７】
そして、画像データ等を表示させる手段として、ＬＣＤ（Ｌｉｑｕｉｄ  Ｃｒｙｓｔａｌ  Ｄｉｓｐｌａｙ）等からなる表示手段１８が設けられている。すなわち、上記のように撮像素子１０ａで取得した画像データを、上記表示手段１８に逐次再生表示させることが出来る。つまり、ユーザーは、上記表示手段１８を参照して上記被写体８の変化状態を確認しながら撮影を行うことが出来る。また、上記音声データの音声再生を行う為のスピーカ１８ａも設けられている。さらに、上記音声データの音声再生の際には、上記メモリ１４内に記録された上記音声データは、上記信号処理回路１２に読み出された後、スピーカ１８ａにより出力され音声再生される。
【００１８】
また、上記画像データの再生表示の際には、上記メモリ１４内に圧縮して記録された上記画像データは、上記信号処理回路１２に読み出され、更に伸張処理等が施された後、上記表示手段１８に再生表示される。
【００１９】
さらに、本実施形態に係るカメラには、撮影日時を示す日時情報を取得する機能及び時間計測のタイマ機能を有する時計手段２０が設けられている。この時計手段２０によって取得された日時情報は、例えば撮影により取得した画像データと対応付けされて、上記メモリ１４に記録される。また、上記タイマ機能によれば、例えば撮影動作における露出の時間、動画の撮影時間、及び所定のタイミングの間隔等を計時することができる。
【００２０】
また、当該カメラの位置を示す位置情報を検出する為に、例えばＧＰＳ（Ｇｌｏｂａｌ  Ｐｏｓｉｔｉｏｎｉｎｇ  Ｓｙｓｔｅｍ）等からなる位置検出手段２２が設けられている。この位置検出手段２２により、画像データ等の撮影位置を示す位置情報を取得することができる。また、上記画像データと上記位置情報とを対応付けして、上記メモリ１４に記録することができる。
【００２１】
以上、説明の便宜の為に、静止画像の画像データの取得及び処理等を想定して本実施形態に係るカメラのシステム構成を説明したが、動画データも上述の構成により通常行われている手法を用いて取得できるのは勿論である。なお、動画データと音声データとは通常一体のデータとして扱われており、本実施形態においても、動画データに関する各種処理においては、該動画データに対応する音声データも適宜同様に処理されるものとする。
【００２２】
以下、図２乃至図５を参照して、従来の画像データ整理の手法と比較して、本実施形態に係るカメラによる画像データ整理の手法の概略を説明する。なお、図２は従来の画像データ整理の手法を示すフローチャートであり、図３は該フローチャートにおけるステップＳ１０４における実際の作業場面を示す図である。また、図４は本実施形態に係るカメラによる画像データ整理の手法の概略を示すフローチャートであり、図５（ａ）は該フローチャートにおけるステップＳ１１１における実際の作業場面、図５（ｂ）は画像データ整理における画像データ並び替えの概念、図５（ｃ）は画像データ並び替え後の表示の一例を示す図である。
【００２３】
例えば、二人のユーザー（ユーザーＡさん３０ａ、ユーザーＢさん３２ｂ）が、それぞれカメラを一台づつ持って旅行に出かけ、旅先においてそれぞれが写真を撮る場合を考える。この場合に生じる問題点としては、第一に、ユーザーＢさん３２ｂはユーザーＡさん３０ａの撮影した写真に写っており、同様にユーザーＡさん３０ａはユーザーＢさん３２ｂの撮影した写真に写っている確率が高いという点である。そして第二に、例えばユーザーＡさん３０ａが撮影した写真とユーザーＢさん３２ｂが撮影した写真とを、一つにまとめて時間の流れに沿って並べ替えてアルバムを作成しようとすると、日付けや時間等を参照したり、記憶を辿ったりしながら順次写真を並べ替えていかなければならなく、非常に時間が掛かる作業となる点である。
【００２４】
具体的には、従来の手法によれば、写真の整理（画像データの整理）においては図２に示すフローチャートの作業を行わなければならなかった。
【００２５】
すなわち、まずユーザーＡさん３０ａとユーザーＢさん３２ｂは、それぞれ自分の撮影により取得した画像データをプリントアウトする（ステップＳ１０１）。つづいて、プリントアウトにより取得したお互いの写真を必要に応じて交換等の遣り取りをする（ステップＳ１０２）。次に、上記ステップＳ１０２により追加のプリントアウトの必要性が生じた画像データについては、更に追加のプリントアウトを行う（ステップＳ１０３）。その後、図３に示すようにユーザーＡさん３０ａ及びユーザーＢさん３２ｂが、それぞれ写真を並べ替える（ステップＳ１０４）ことでアルバムを作成する（ステップＳ１０５）。
【００２６】
一方、本実施形態に係るカメラによる画像データ整理の手法は、その概略を示すと図４に示すフローチャートのような手法である。
【００２７】
すなわち、図５（ａ）に示すように、まずユーザーＡさん３０ａとユーザーＢさん３２ｂさんとが、それぞれ本実施形態に係るカメラＡ３０，カメラＢ３２に搭載された無線通信部１５ｂ（図１参照）を利用して、所望の画像データに対し、デジタルデータのまま交換等の遣り取りを行う（ステップＳ１１１）。その後、ユーザーＡさん３０ａ及びユーザーＢさん３２ｂが、それぞれ不要な画像データを削除し、且つ所望の順番に並び替える（ステップＳ１１２）。そして、上記ステップＳ１１２で並び替えた画像データを、適当なレイアウトで配置し、プリントアウト等してアルバムとする（ステップＳ１１３）。
【００２８】
以下、上述した図４のような処理を実現するための本実施形態に係るカメラにおける動作制御を、図６Ａ乃至図６Ｆに示すフローチャートを参照して説明する。なお、同フローチャートは、図１におけるＭＰＵ２による動作制御のフローチャートである。また、同フローチャートは、本実施形態に係るカメラのメインフローチャートであり、ユーザーにより不図示のＰＯＷＥＲ ＳＷ（電源）がＯＮされると自動的に起動される動作制御のフローチャートである。なお、ここでは、本実施形態に係るカメラを二台使用するカメラシステムを想定して説明するが、二台のカメラ（当該カメラでありユーザーＡさんが使用するカメラＡ、及び他方のカメラでありユーザーＢさんが使用するカメラＢ）の動作制御を示すフローチャートは同一であり、図６Ａ乃至図６Ｆで示すフローチャートの処理が状況に応じて二台のカメラでそれぞれ行われるものである。そして、本実施形態においては、カメラＡが撮影して取得する画像データを第一の画像データとし、カメラＢが撮影して取得する画像データを第二の画像データとすると、これら第一の画像データ及び第二の画像データを以下のような表示制御により表示手段１８に表示させる。
【００２９】
まず、ユーザーＡさんが上記操作部材２ａを操作して、当該カメラＡを撮影モード、画像交換モード、第一再生モード（詳しくは後述）、及び第二再生モード（詳しくは後述）のうち何れかのモードに設定する。
【００３０】
その後、上記ＭＰＵ２は、設定されたモードが撮影モードであるか否かを判断する（ステップＳ１）。このステップＳ１にて、設定されたモードが撮影モードであると判断した場合は、ユーザーＡさんによる上記操作部材２ａの操作でレリーズ操作が行われたか否かを判断する（ステップＳ２）。
【００３１】
上記ステップＳ２において、レリーズ操作が行われていないと判断した場合には、ＮＯに分岐して上記ステップＳ１へ戻る。他方、上記ステップＳ２において、ユーザーＡさんによりレリーズ操作が行われたと判断した場合、ＹＥＳに分岐して撮影のステップを開始する。すなわち、ピント及び露出の調整を行い、通常行われている所定の撮影動作（詳細は省略する）を開始させる（ステップＳ３）。
【００３２】
そして、時計手段２０を参照して日時情報を取得する（ステップＳ４）。つづいて、位置検出手段２２にＧＰＳ情報を取得させる（ステップＳ５）。その後、上記ステップＳ３における撮影動作にて取得した画像データと、上記ステップＳ４で取得した日時情報及び上記ステップＳ５で取得したＧＰＳ情報とを対応付けして、例えば上記ＲＡＭ１６に記録する（ステップＳ６）。そして、メモリ１４に上記各データを保存する。
【００３３】
その後、当該カメラＡと画像データを無線通信により遣り取りするカメラＢを利用しているユーザーＢさんが写っている画像データである“カメラＢユーザー画像データ（第二のカメラユーザー画像データ）”を設定する旨の操作が、ユーザーにより上記操作部材２ａを用いて為されたか否かを判断する（ステップＳ７）。このステップＳ７をＹＥＳに分岐する場合は、当該画像データを上記カメラＢユーザー画像データに設定する（ステップＳ８）。
【００３４】
上記ステップＳ７をＮＯに分岐する場合または上記ステップＳ８を経た後、ユーザーＡさんによる上記操作部材２ａの操作にて、撮影動作を終了させる操作が行われたか否かを判断する（ステップＳ９）。このステップＳ９において、撮影動作を終了させる操作が行われていないと判断した場合には、ＮＯに分岐して上記ステップＳ２へ戻る。
【００３５】
上記ステップＳ９において、撮影動作を終了させる操作が行われたと判断した場合にはＹＥＳに分岐し、撮影動作を終了させる（ステップＳ１０）。このステップＳ１０の後、ユーザーＡさんにより不図示のＰＯＷＥＲ ＳＷがＯＦＦされたか否かを判断する（ステップＳ１１）。このステップＳ１１で、不図示のＰＯＷＥＲ ＳＷがＯＦＦされたと判断した場合は、当該カメラＡをシャットダウンする。一方、上記ステップＳ１１で、不図示のＰＯＷＥＲ ＳＷがＯＦＦされていないと判断した場合はＮＯに分岐し、上記ステップＳ１へ戻る。
【００３６】
なお、以後の説明においては、上記したステップＳ１からステップＳ１１までの処理はカメラＢ側においても実行されているものとする。
【００３７】
ところで、上記ステップＳ１において、当該カメラＡが撮影モードに設定されていないと判断した場合は、再生モード（ここでは第一再生モード及び第二再生モードの総称とする）に設定されているか否かを判断する（ステップＳ２０）。このステップＳ２０で再生モードに設定されていないと判断した場合にはＮＯに分岐し、画像交換モードに入る。
【００３８】
上記ステップＳ２０において、再生モードに設定されていないと判断した場合には、まず上記カメラＢに画像データを送信する旨の操作が、ユーザーＡさんによる上記操作部材２ａの操作で行われたか否かを判断する（ステップＳ２１）。
【００３９】
上記ステップＳ２１において、上記カメラＢに画像データを送信する旨の操作が行われたと判断した場合はＹＥＳに分岐し、送信に先立ってユーザーＡさんが所望の画像データを選択する為の選択画面を表示手段１８に表示させ、ユーザーＡさんが、表示手段１８に表示される上記選択画面を参照しながら、カメラＢに送信したい画像データを選択する（ステップＳ２２）。なお、このステップＳ２２における処理については、図９に示すフローチャートを参照して詳述する。
【００４０】
次に、画像データと共に送信すべき種々の情報、例えば実際に無線通信を行う際の時刻情報（現在時刻）や当該カメラＡの機器に関する情報等を設定する（ステップＳ２３）。
【００４１】
その後、ユーザーＡさんによる上記操作部材２ａの操作で、無線通信を開始させる旨の操作が行われたか否かを判断する（ステップＳ２４）。このステップＳ２４にて、無線通信を開始させる旨の操作が行われていないと判断した場合にはＮＯに分岐し、上記ステップＳ２２へ戻る。
【００４２】
上記ステップＳ２４において、無線通信を開始させる旨の操作が行われたと判断した場合にはＹＥＳに分岐し、無線通信部１５ｂによってカメラＢとの無線通信を開始させ、その後通信状態が確立したか否かを判断する（ステップＳ２５）。このステップＳ２５において、通信状態が確立したと判断した場合はＹＥＳに分岐し、上記ステップＳ２２で選択された画像データ、及び上記ステップＳ２３で設定された各種データを、無線通信部１５ｂにて、カメラＢへ無線送信する（ステップＳ２６）。
【００４３】
一方、上記ステップＳ２５において、通信状態が確立していないと判断した場合にはＮＯに分岐し、所定時間の経過を待って再び通信状態が確立したか否かを判断する（ステップＳ２７）。このステップＳ２７において通信状態が確立したと判断した場合にはＹＥＳに分岐し、上記ステップＳ２６に進む。他方、上記ステップＳ２７において通信状態が確立していないと判断した場合にはＮＯに分岐し、例えば表示手段１８に、通信状態を確立できない旨の警告表示を表示させる（ステップＳ２８）。
【００４４】
このステップＳ２８の後、ユーザーＡさんにより不図示のＰＯＷＥＲ ＳＷがＯＦＦされたか否かを判断する（ステップＳ２９）。このステップＳ２９で、不図示のＰＯＷＥＲ ＳＷがＯＦＦされたと判断した場合はＹＥＳに分岐し、当該カメラＡをシャットダウンする。一方、上記ステップＳ２９で、不図示のＰＯＷＥＲ ＳＷがＯＦＦされていないと判断した場合はＮＯに分岐し、上記ステップＳ１へ戻る。
【００４５】
ところで、上記ステップＳ２１においてカメラＢに画像データを送信する旨の操作が行われていないと判断した場合、または上記ステップＳ２６における無線送信の処理を終えた後、上記カメラＢへ、画像データの送信要求信号を送信するか否かを、ユーザーＡさんによる上記操作部材２ａの操作を検出して判断する（ステップＳ３０）。このステップＳ３０をＮＯに分岐する場合は、上記ステップＳ２９へ進む。
【００４６】
一方、上記ステップＳ３０をＹＥＳに分岐する場合は、カメラＢへ送信要求信号を送信する（ステップＳ３１）。そして、カメラＢから送信されて来る画像データを受信する（ステップＳ３２）。
【００４７】
なお、カメラＢ側においては、上記ステップＳ３１にて当該カメラＡが送信した送信要求信号に従って所定の画像データを当該カメラＡに送信する。ここで、カメラＢのユーザーであるユーザーＢさんは、特にカメラＢの操作は行わないとする。
【００４８】
次に、上記ステップＳ３２における受信が成功したか否かを判断する（ステップＳ３３）。このステップＳ３３において、受信が失敗したと判断した場合はＮＯに分岐し、所定時間の経過を待って受信処理を行い、再び受信できたか否かを判断する（ステップＳ３４）。このステップＳ３４をＮＯに分岐する場合は、受信不能の旨を示す警告表示を表示手段１８に表示させ（ステップＳ３５）、後述するステップＳ４０へ進む。
【００４９】
上記ステップＳ３３または上記ステップＳ３４において、受信が成功したと判断した場合には、当該カメラＡにおいて画像データが受信されたときの受信時刻とカメラＢから画像データが送信されたときの送信時刻とが略一致しているか否かを判断する（ステップＳ３６）。なお、このステップＳ３６における判断は、カメラＢから画像データと共に送信されてきた送信時刻情報と、当該カメラＡの時計手段２０の出力とを比較参照して行う。
【００５０】
上記ステップＳ３６において、受信時刻と送信時刻とが略一致していないと判断した場合にはＮＯに分岐し、カメラＢから送信されてきた画像データに対応付けされた日時情報を補正する（ステップＳ３７）。つまり、受信時刻と送信時刻とが略一致していない場合には、カメラＡの時計手段で計時された時刻とカメラＢの時計手段で計時された時刻とにずれがある場合である。この場合、当該カメラＡにおける日時情報とカメラＢにおける日時情報とにずれが生じるため、後述する画像データの並び替えの際に画像の順序が正しくなくなるおそれがあるので、受信した画像データに対応付けられた日時情報を受信時刻と送信時刻とのずれ量分だけ補正する。
【００５１】
上記ステップＳ３６をＹＥＳに分岐する場合、または上記ステップＳ３７における処理を経た後、カメラＢから送信されてきた画像データを、表示手段１８に表示させる（ステップＳ３８）。このステップＳ３８により、ユーザーＡさんはカメラＢから送信されてきた画像データを確認する。
【００５２】
その後、ユーザーＡさんは、操作部材２ａにより上記ステップＳ３８にて表示された画像データの中から、不要と思われる画像データを削除する操作を行う。この操作を受けてＭＰＵ２はユーザーＡさんにより選択された不要な画像データをメモリ１４から削除する（ステップＳ３９）。このステップＳ３９の後、ユーザーＡさんにより不図示のＰＯＷＥＲ ＳＷがＯＦＦされたか否かを判断する（ステップＳ４０）。このステップＳ４０で、不図示のＰＯＷＥＲ ＳＷがＯＦＦされたと判断した場合はＹＥＳに分岐し、当該カメラＡをシャットダウンする。一方、上記ステップＳ４０で、不図示のＰＯＷＥＲ ＳＷがＯＦＦされていないと判断した場合は、上記ステップＳ１へ戻る。
【００５３】
ところで、上記ステップＳ２０において再生モードに設定されていると判断した場合はＹＥＳに分岐し、第一再生モードに設定されているか否かを判断する（ステップＳ４１）。このステップＳ４１において第一再生モードに設定されていると判断した場合にはＹＥＳに分岐し、画像データを表示手段１８に表示させる（ステップＳ４２）。なお、このステップＳ４２における画像データの表示形式は、例えば図７（ｂ）に示すように、当該カメラＡ及びカメラＢの二台のカメラで撮影された画像データを、撮影された時刻に合わせて時系列に順番に並べて表示させる。
【００５４】
その後、画像データの表示形式を切り換えるか否かを、ユーザーＡさんによる上記操作部材２ａの操作を検出して判断する（ステップＳ４３）。このステップＳ４３において、画像データの表示形式を切り換えると判断した場合にはＹＥＳに分岐し、例えば図７（ａ）に示すようなフル画面表示に切り換える。このフル画面表示は所定時間が経過する毎に、例えば時系列的に前の時刻に遡っていくように、次々と表示させる画像データを切り換えていくようにして行う（ステップＳ４４）。このステップＳ４４の後、全ての画像データについて表示を行ったか否かを判断する（ステップＳ４５）。このステップＳ４５をＮＯに分岐する場合は、上記ステップＳ４３へ戻る。一方、上記ステップＳ４５をＹＥＳに分岐する場合は、ユーザーＡさんにより不図示のＰＯＷＥＲ ＳＷがＯＦＦされたか否かを判断する（ステップＳ４６）。このステップＳ４６で、不図示のＰＯＷＥＲ ＳＷがＯＦＦされたと判断した場合はＹＥＳに分岐し、当該カメラＡをシャットダウンする。一方、上記ステップＳ４５で、不図示のＰＯＷＥＲ ＳＷがＯＦＦされていないと判断した場合はＮＯに分岐し、上記ステップＳ４２へ戻る。
【００５５】
ところで、上記ステップＳ４１において第一再生モードに設定されていないと判断した場合は第二再生モードに設定されていると判断してＮＯに分岐し、上記ステップＳ８のカメラＢユーザー画像データの設定が既に行われているか否かを判断する（ステップＳ５１）。
【００５６】
なお、上記第二再生モードとは、例えば図８（ａ），（ｂ）に示すように、どの画像データがどのカメラにより撮影して取得されたかを示して表示する再生モードである。ここで、図８（ａ）に示す表示形式は、撮影者を示す画像データ（それぞれのカメラで取得されるそれぞれのカメラのユーザーを写した画像データ）を、該撮影者の撮影した画像データと横並びにして表示させた表示形式である。また、図８（ｂ）に示す表示形式は、撮影者を示す画像データを、該撮影者の撮影した画像データと横並びにし、且つ時系列に沿って並べた表示形式であり、どのユーザーがどの画像をいつ撮影したかを明示するような表示形式であるとも言える。
【００５７】
ここで、図８（ａ），（ｂ）に示す表示形式で特徴的なのは、それぞれのカメラのユーザーを示す画像データ（カメラＡユーザー画像データ及びカメラＢユーザー画像データ）と、それらの横に並ぶ画像データとは、同じ列に並んでいるのにも関わらず、それぞれの画像データを撮影して取得したカメラが異なるという点である。すなわち、図８（ａ），（ｂ）に示すような表示を行う為には、上述したような本実施形態に係るカメラに特有の動作制御を行うことで、当該カメラＡのユーザーであるユーザーＡさん及びカメラＢのユーザーであるユーザーＢさんを示す画像データを予め取得しておく必要がある。
【００５８】
すなわち、上記ステップＳ５１においてカメラＢユーザー画像データの設定が未だ行われていないと判断した場合にはＮＯに分岐し、その旨の警告表示を表示手段１８に表示し、上記ステップＳ１へ戻る。なお、カメラＢユーザー画像データの設定を行わせるための画面を表示させるようにしても良い。一方、上記ステップＳ５１においてカメラＢユーザー画像データの設定が既に行われたと判断した場合にはＹＥＳに分岐し、つづいて当該カメラＡのユーザーである自分自身を示す画像データであるカメラＡユーザー画像データ（第一のカメラユーザー画像データ。つまり、カメラＢから送信されるカメラＡのユーザーを写した画像データ）が取得されているか否かを判断する（ステップＳ５３）。
【００５９】
上記ステップＳ５３において、上記カメラＡユーザー画像データが未だ設定されていないと判断した場合にはＮＯに分岐し、当該カメラＡのユーザーＡさんが操作部材２ａを用いて行うカメラＡユーザー画像データの設定の操作を検出し（ステップＳ５４）、カメラＡユーザー画像データの設定を行うか否かを判断する。
【００６０】
上記ステップＳ５４においてカメラＡユーザー画像データの設定を行うと判断した場合にはＹＥＳに分岐し、ユーザーの操作に基づいてカメラＡユーザー画像データの設定を行う（ステップＳ５６）。一方、上記ステップＳ５４においてカメラＡユーザー画像データの設定を行わないと判断した場合にはＮＯに分岐し、カメラＡユーザー画像データを送信するよう要請する旨の警告をカメラＢに対して送信し（ステップＳ５５）、上記ステップＳ１へ戻る。これにより、ユーザーＢさんがカメラＡユーザ画像データの設定をし忘れても、カメラＡユーザ画像データの設定をするように促すことが可能である。
【００６１】
カメラＡユーザー画像データ及びカメラＡユーザー画像データの設定を終えた後、図８（ａ），（ｂ）に示すように、カメラＢユーザー画像データを表示画面中の左側上部に表示し（ステップＳ５７）、カメラＡユーザー画像データを表示画面中の左側下部に表示する（ステップＳ５８）。
【００６２】
そして、図８（ａ），（ｂ）に示すように、上記カメラＢユーザー画像データの右側に、カメラＢにて撮影して取得された画像データを並べて表示し（ステップＳ５９）、上記カメラＡユーザー画像データの右側に、当該カメラＡにて撮影して取得された画像データを並べて表示する（ステップＳ６０）。
【００６３】
その後、図８（ｂ）に示すように表示するか否か、すなわち時系列順に画像データを配置して表示するか否かを、ユーザーＡさんが上記操作部材２ａを操作して入力する。そして、該入力をＭＰＵ２が検出して、時系列順に画像データを配置して表示するか否かを判断する（ステップＳ６１）。このステップＳ６１において時系列順に画像データを配置して表示すると判断した場合にはＹＥＳに分岐し、時系列順に画像データを配置し直して、表示手段１８に表示する（ステップＳ６２）。
【００６４】
上記ステップＳ６１をＮＯに分岐する場合または上記ステップＳ６２を経た後、次の表示候補画像データに表示切り換えを行うか否かをユーザーＡさんが上記操作部材２ａを操作して入力する。そして、該入力をＭＰＵ２が検出して、未だ表示手段１８に表示がなされていない次の表示候補画像データに表示切り換えを行うか否かを判断する（ステップＳ７１）。このステップＳ７１において次の表示候補画像データに表示切り換えを行うと判断した場合にはＹＥＳに分岐し、どのような画像データを次の表示候補画像データとするかを、ユーザーＡさんが上記操作部材２ａを操作して選択する。そして、該入力をＭＰＵ２が検出して、次の表示候補画像データを指定する（ステップＳ７２）。このステップＳ７２を経た後は、上記ステップＳ５９へ戻る。
【００６５】
また、上記ステップＳ７１において次の表示候補画像データに表示切り換えを行わないと判断した場合にはＮＯに分岐し、ユーザーＡさんにより不図示のＰＯＷＥＲ ＳＷがＯＦＦされたか否かを判断する（ステップＳ７３）。このステップＳ７３で、不図示のＰＯＷＥＲ ＳＷがＯＦＦされたと判断した場合はＹＥＳに分岐し、当該カメラＡをシャットダウンする。一方、上記ステップＳ７３で、不図示のＰＯＷＥＲ ＳＷがＯＦＦされていないと判断した場合はＮＯに分岐し、上記ステップＳ５９へ戻る。
【００６６】
以下、図９に示すフローチャートを参照して、上記ステップＳ２２における画像選択の処理のサブルーチンを説明する。
【００６７】
まず、図１０に示すように、画像データを表示手段１８に一覧表示させる（ステップＳ８１）。このとき、図１０に示すように表示画面を“候補の画像データ表示部１８Ａ”と“選択された画像データ表示部１８Ｂ”とに分けて表示させる。
【００６８】
その後、ユーザーＡさんによる操作部材２ａの操作で、画面切り換えの操作が行われたか否かを判断する（ステップＳ８２）。なお、この“画面切り換え”とは、上記候補の画像データ表示部１８Ａに表示された画像データの中に、選択したい画像データがない場合に、ユーザーにより行われる操作である。
【００６９】
上記ステップＳ８２をＹＥＳに分岐する場合、次の候補の画像データを、表示手段１８における上記候補の画像データ表示部１８Ａに表示させる（ステップＳ８３）。上記次の候補の画像データは、どのような基準で選択してもよい。他方、上記ステップＳ８２をＮＯに分岐する場合、下記のステップＳ８５へ進む。
【００７０】
上述のようにして表示手段１８における上記候補の画像データ表示部１８Ａの一覧表示を参照しながら、ユーザーＡさんは、上記操作部材２ａを操作して、例えば図１０に示すように枠表示（同図における最上段及び最下段における左端の表示画像参照）、を所望の画像データに重ね合わせて、カメラＢに送信したい画像データを選択する。そして、ＭＰＵ２は、ユーザーＡさんにより画像データ選択の操作が行われたか否かを判断する（ステップＳ８５）。
【００７１】
上記ステップＳ８５において、ユーザーＡさんにより画像データ選択の操作が行われたと判断した場合は上記ステップＳ８５をＹＥＳに分岐し、上記ステップＳ８５にて選択された画像データを、カメラＢに送信する画像データのみを記録する上記送信用メモリ１４ｂに記録する（ステップＳ８６）。そして、上記ステップＳ８５において、ユーザーＡさんにより選択された画像データを、上記選択された画像データ表示部１８Ｂへ表示させる（ステップＳ８７）。
【００７２】
一方、上記ステップＳ８５において、ユーザーＡさんにより画像データ選択の操作が行われていないと判断した場合にはＮＯに分岐し、ユーザーＡさんにより選択操作を終了させる操作が行われたか否かを、上記操作部材２ａの操作状態を検出して判断し（ステップＳ８８）、選択操作を終了させないと判断した場合にはステップＳ８８をＮＯに分岐し、上記ステップＳ８１へ戻る。また、上記ステップＳ８８において、選択操作を終了させると判断した場合にはＹＥＳに分岐し、それまでに選択された画像データを表示手段１８に一覧表示させた（ステップＳ８９）後、図６Ｂに示すフローチャートへ戻る。
【００７３】
なお、例えば上記ステップＳ８６においてカメラＢに送信する画像データのみを記録する上記送信用メモリ１４ｂに記録する際に、画像データの圧縮率を上げたり、または間引き処理等を行って、通信における負荷を軽減させる措置をとっても勿論よい。更に、オリジナルの画像データではない旨を、当該画像データに電子透かしの技術等にて入れ込むことも可能である。いずれにしろ、カメラＢに送信する画像データは、上記ステップＳ８６において上記送信用メモリ１４ｂに記録する為、送信処理を失敗した場合には、送信用メモリ１４ｂに記録されている画像データを送信すれば良く、再度、上記ステップＳ８１乃至上記ステップＳ８９の処理を行う必要はなくなる。
【００７４】
以上説明したように、本実施形態によれば、複数のカメラによる多数の画像データを、当該カメラＡでまとめて且つ鑑賞効果を考慮して整理するカメラを提供することができる。
【００７５】
例えば、二人がそれぞれ本実施形態に係るカメラを持って旅行に行ったときに撮影して取得した画像データを、撮影者毎に整理してまとめて一覧表示させることができる。
【００７６】
すなわち、例えば複数のユーザーがグループ旅行に行った場合、帰りの移動中にそれぞれのユーザーが取得した画像データを１つの電子アルバムとして整理してまとめることが出来る。したがって、現在行われているように、旅行から帰ってから改めてプリントアウトした画像データを見ながら順番を考えてアルバムに整理するようなことは必要なくなる。
【００７７】
また、複数のユーザーにより取得された画像データは、上述のようにユーザー別に表示される為、画像データの表示時に画像データが誰により撮影された画像データであるかが分かるので、撮影技術を競い合ったり表現力を高める為に切磋琢磨することができ、また互いの視点の違いを確認することもできる。これにより、例えば子供の運動会で、父親と母親とがそれぞれ本実施形態に係るカメラを一台づつ使用して撮影した場合、画像データの再生表示の際に自分の子供を見る視点の違いを知って楽しむことができる。
【００７８】
なお、説明の便宜上、本実施形態に係るカメラを二台使用した場合を例にこれまで説明したが、本実施形態に係るカメラを三台以上使用してもよいことは勿論である。その場合の動作制御等は、上述した本実施形態に係るカメラを二台使用した場合の動作制御等から容易に推測可能であることは言うまでも無い。
【００７９】
以上、一実施形態に基づいて本発明を説明したが、本発明は上述した実施形態に限定されるものではなく、本発明の要旨の範囲内で種々の変形及び応用が可能なことは勿論である。例えば、上述した例は画像データの並び換えを撮影日時情報の順に行っているが、位置検出手段２２で検出したＧＰＳ情報を利用して並び換えを行うようにしても良い。
【００８０】
［第一変形例］
例えば、図６Ａに示すフローチャートにおける上記ステップＳ１の前に、図１１に示すフローチャート（後述するステップＳ９１乃至ステップＳ９９）を挿入することで、上記カメラＡユーザー画像データ及び上記カメラＢユーザー画像データを確実に設定しておくことが出来る。
【００８１】
まず、上記カメラＡユーザー画像データ及び上記カメラＢユーザー画像データの設定が済んでいるか否かを判断する（ステップＳ９１）。このステップＳ９１において上記カメラＡユーザー画像データ及び上記カメラＢユーザー画像データが設定済みであると判断した場合にはＹＥＳに分岐し、図６Ａに示すフローチャートにおける上記ステップＳ１へ戻る。
【００８２】
上記ステップＳ９１で上記カメラＡユーザー画像データ及び上記カメラＢユーザー画像データが設定済みでないと判断した場合にはＮＯに分岐し、上記無線通信部１５ｂに、上記カメラＢとの無線通信を開始させる（ステップＳ９２）。
【００８３】
その後、通信状態が確立したか否かを判断する（ステップＳ９３）。このステップＳ９３において通信状態が確立したと判断した場合はＹＥＳに分岐し、“撮影＆送受信処理”を行う（ステップＳ９６）。この“撮影＆送受信処理”では、図１２に示すようにユーザーＡさん３０ａとユーザーＢさん３２ｂとが、互いを撮影しあう。そして、当該カメラＡ３０では、この撮影により取得した画像データを上記送信用メモリ１４ｂに記録した後、該画像データをカメラＢ３２に送信する。そして、さらにカメラＢ３２では、カメラＢ３２が撮影した当該カメラＡ３０のカメラＡユーザー画像データを当該カメラＡ３０に送信し、当該カメラＡ３０はこのカメラＡユーザー画像データを受信する。
【００８４】
一方、上記ステップＳ９３において、通信状態が確立していないと判断した場合にはＮＯに分岐し、所定時間の経過を待って再び通信状態が確立したか否かを判断する（ステップＳ９４）。このステップＳ９４において通信状態が確立したと判断した場合にはＹＥＳに分岐し、上記ステップＳ９６に進む。他方、上記ステップＳ９４において通信状態が確立していないと判断した場合にはＮＯに分岐し、表示手段１８に、通信状態を確立できない旨の警告表示を表示させる（ステップＳ９５）。そして、図６ＡのフローチャートにおけるステップＳ１に戻る。
【００８５】
上記ステップＳ９６における処理の後、表示手段１８に、図１３に示すような“マルチ表示画面”を表示させる（ステップＳ９７）。この“マルチ表示画面”とは、上記ステップＳ９６において撮影して取得したカメラＢユーザー画像データと、カメラＢ３２から送信されて取得したカメラＡユーザー画像データとを、例えば図１３に示すように表示手段１８に同時に表示させる表示画面のことである。
【００８６】
ここで、上記ステップＳ９７における“マルチ表示画面”の表示中において、例えばユーザーＡさん３０ａが適当なタイミングでレリーズ操作を行うと、上記ステップＳ９６において撮影して取得したカメラＢユーザー画像データをカメラＢユーザー画像データとして、且つカメラＢ３２から送信されて取得したカメラＡユーザー画像データをカメラＡユーザー画像データとして設定して記録する処理である“カメラＡユーザー画像データ及びカメラＢユーザー画像データ設定処理”が開始される。
【００８７】
したがって、上記ステップＳ９７における処理の後、ユーザーによりレリーズ操作が行われたか否かを判断し（ステップＳ９８）、ここでレリーズ操作が行われたと判断した場合にはＹＥＳに分岐し、上記“カメラＡユーザー画像データ及びカメラＢユーザー画像データ設定処理”を行う（ステップＳ９９）。
【００８８】
上記ステップＳ９８において、ユーザーによりレリーズ操作が行われていないと判断した場合にはＮＯに分岐し、及び上記ステップＳ９９において上記“カメラＡユーザー画像データ及びカメラＢユーザー画像データ設定処理”を行った後、無線通信部１５ｂにカメラＢ３２との無線通信を終了させる操作が、ユーザーによる上記操作部材２ａの操作で行われたか否かを判断する（ステップＳ１００）。このステップＳ１００において、カメラＢ３２との無線通信を終了させる操作が行われたと判断した場合は、図６Ａに示すフローチャートのステップＳ１へ戻る。一方、ステップＳ１００において、カメラＢ３２との無線通信を終了させる操作が行われていないと判断した場合には、上記ステップＳ９６へ戻る。
【００８９】
以上説明したように、本第一変形例によれば上記一実施形態に係るカメラと同様の効果を奏する上に、以下のような効果を奏する。すなわち、本変形例では予めカメラＡユーザー画像データ及びカメラＢユーザー画像データを確実に設定しておく為、その後の動作制御をよりスムーズに行うことができる。また、上述したように、非常に容易な操作にて、カメラＡユーザー画像データ及びカメラＢユーザー画像データをまとめて設定できる。
【００９０】
［第二変形例］
本変形例においては、例えば図１５に示すように、ユーザー１００は、例えばタッチパネル形式にて、表示手段１８に表示させた所望の画像データに対して、コメント等を書き込むことができる。このことは、図９に示す上記ステップＳ２２における画像選択の処理のサブルーチンを、図１４に示すフローチャートのように変形することにより可能となる。
【００９１】
なお、図９に示すフローチャートにおける処理のうち、ステップＳ８１乃至ステップＳ８５は、図９に示すフローチャートにおけるステップＳ８１乃至ステップＳ８５と同様の処理である為、ここでは説明を省略する。
【００９２】
まず、上記ステップＳ８５において、ユーザーＡさんにより画像データ選択の操作が行われていないと判断した場合はＮＯに分岐し、ユーザーＡさんにより選択操作を終了させる操作が行われたか否かを、上記操作部材２ａの操作状態を検出して判断し（ステップＳ２０６）、選択操作を終了させないと判断した場合には、上記ステップＳ８１へ戻る。また、上記ステップＳ２０６において、選択操作を終了させると判断した場合にはＹＥＳに分岐し、図６Ｂに示すフローチャートへ戻る。
【００９３】
一方、上記ステップＳ８５において、ユーザーＡさんにより画像データ選択の操作が行われたと判断した場合にはＹＥＳに分岐し、上記ステップＳ８５で選択された画像データを表示手段１８に拡大表示させる（ステップＳ２０７）。
【００９４】
その後、例えば図１５に示すようにユーザーＡさん３０ａによりタッチパネル形式にて書き込まれたコメントを、上記ステップＳ２０７にて拡大表示されている画像データに合成する（ステップＳ２０８）。なお、タッチパネルとしては、例えば既に広く利用されている、ペン先が発光するタッチペン５０を用いて、受光素子を多数埋め込んだ光検知パネルを有する表示手段１８上に書き込む形式等が挙げられる。
【００９５】
そして、このステップＳ２０８で合成した画像データを、送信用メモリ１４ｂに記録する（ステップＳ２０９）。その後、図６Ｂに示すフローチャートへ戻る。
【００９６】
以上説明したように、本変形例によれば、上記一実施形態に係るカメラと同様の効果を奏する上に、以下の効果を奏する。すなわち、本変形例によれば画像データに対してユーザーＡさんによるコメントが付加される為、画像データの鑑賞をより楽しいものにすることができる。また、上記コメントは、画像データが誰により撮影されたかを判断する指標ともなり得る。
【００９７】
さらに、上記ステップＳ２０８において、ユーザーＡさんがコメントとして、画像データの送信先の人（例えば上記ユーザーＢさん）の名前等を書くとそれをＭＰＵ２が識別して候補となる送信先を選択し、画像データ送信時の送信先設定等を簡単にすることも考えられる。
【００９８】
なお、上記ステップＳ２０８におけるコメントの入力は、上述したようにタッチパネル形式を採らなくとも、図１６に示すように紙等にユーザーＡさんが手書きで書いたコメント１１０を当該カメラＡ３０にて撮影し、この撮影によって入力された手書きコメントを画像データに合成することで行ってもよい。
【００９９】
また、上述した実施形態においてカメラ間の通信は、撮影及び再生処理を行う為の回路である上記信号処理回路１２を用いて上記無線通信部１５ｂによって行っているが、用いる回路としては上記信号処理回路１２に限られない。すなわち、通信処理を行う為の回路を別途設けて、通信処理とその他の処理とを並行して実行できるようにしても良い。このような構成とした場合、回路の規模は大きくなるが、より高速且つ使用状況によらずに常時通信要求に対応する構成とすることができる。
【０１００】
さらには、上記メモリ１４は、カメラに着脱可能に構成されたメモリカードでもよく、またカメラに内蔵されたメモリとしても勿論よい。なお、上述した実施形態においては、受信により取得した画像データは上記メモリ１４に保存したが、ＳＤＲＡＭに保存するようにしても構わない。このようにする場合、保存期間は限られてしまうが、撮影後すぐに送受信を行う場合には支障がなく、メモリアクセス時間を高速にすることができる。
【０１０１】
なお、通信状態が確立したか否かの確認は、単純な通信プロトコルの確認のみでもよく、各機種の識別情報やセキュリティ情報に応じて判断するように既知の通信技術を利用しても良い。
【０１０２】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１０３】
【図１】本発明の一実施形態に係るカメラのシステム構成を示すブロック図。
【図２】従来の画像データ整理の手法を示すフローチャート。
【図３】図２に示すフローチャートにおける一場面を示す図。
【図４】本発明の一実施形態に係るカメラによる画像データ整理の手法の概略を示すフローチャート。
【図５】（ａ）は図４に示すフローチャートにおける一場面、（ｂ）は画像データ整理における画像データ並び替えの概念、（ｃ）は画像データ並び替え後の表示の一例を示す図。
【図６Ａ】本発明の一実施形態に係るカメラのメインフローチャートの第一部分。
【図６Ｂ】本発明の一実施形態に係るカメラのメインフローチャートの第二部分。
【図６Ｃ】本発明の一実施形態に係るカメラのメインフローチャートの第三部分。
【図６Ｄ】本発明の一実施形態に係るカメラのメインフローチャートの第四部分。
【図６Ｅ】本発明の一実施形態に係るカメラのメインフローチャートの第五部分。
【図６Ｆ】本発明の一実施形態に係るカメラのメインフローチャートの第六部分。
【図７】（ａ）は、フル画面表示にて画像データを表示する表示手段を示す図。（ｂ）は、当該カメラ及びカメラＢ３２の二台のカメラで撮影された画像データを、撮影された時刻に合わせて時系列に順番に並べて表示する表示手段を示す図。
【図８】（ａ）は撮影者を示す画像データを、該撮影者の撮影した画像データと横並びにして表示させた表示形式で表示する表示手段を示す図。（ｂ）は撮影者を示す画像データを、該撮影者の撮影した画像データと横並びにし、且つ時系列に沿って並べた表示形式で表示する表示手段を示す図。
【図９】画像選択の処理のサブルーチンを示すフローチャート。
【図１０】画像データを一覧表示する表示手段を示す図。
【図１１】カメラＡユーザー画像データ及びカメラＢユーザー画像データを確実に設定しておく為の動作制御を示すフローチャート。
【図１２】互いを撮影しあう様子を示す図。
【図１３】マルチ表示画面時の表示手段の一例を示す図。
【図１４】画像選択の処理の変形例のサブルーチン示すフローチャート。
【図１５】タッチパネル形式にて表示手段上に書き込みを行う様子を示す図。
【図１６】紙等にユーザーが手書きで書いたコメントを当該カメラにて撮影する様子を示す図。
【符号の説明】
【０１０４】
２…ＭＰＵ、  ４…動作制御プログラム、  ６…撮影レンズ、  ８…被写体、  １０…ＡＦＥ回路、  １０ａ…撮像素子、  １０ｂ…マイク、  １２…信号処理回路、  １２ａ…処理補助ブロック、  １４…メモリ、  １４ｂ…送信用メモリ、  １５ａ…プリント信号出力手段、  １５ｂ…無線通信部、  １６…ＲＡＭ、  １８…表示手段、  １８ａ…スピーカ、  １８Ａ，１８Ｂ…画像データ表示部、  ２０…時計手段、  ２２…位置検出手段。
【図１】
2007295289.tif 000003
【図２】
2007295289.tif 000004
【図３】
2007295289.tif 000005
【図４】
2007295289.tif 000006
【図５】
2007295289.tif 000007
【図６Ａ】
2007295289.tif 000008
【図６Ｂ】
2007295289.tif 000009
【図６Ｃ】
2007295289.tif 000010
【図６Ｄ】
2007295289.tif 000011
【図６Ｅ】
2007295289.tif 000012
【図６Ｆ】
2007295289.tif 000013
【図７】
2007295289.tif 000014
【図８】
2007295289.tif 000015
【図９】
2007295289.tif 000016
【図１０】
2007295289.tif 000017
【図１１】
2007295289.tif 000018
【図１２】
2007295289.tif 000019
【図１３】
2007295289.tif 000020
【図１４】
2007295289.tif 000021
【図１５】
2007295289.tif 000022
【図１６】
2007295289.tif 000023